(57)【要約】      （修正有）【課題】両面広告型の内照式看板における広告面での光ムラの低減を簡素な構造で実現可能であると共に、看板サイズに柔軟に対応可能なＬＥＤ照明ユニット、及びこれを備えた内照式看板を提供する。【解決手段】両面広告型の内照式看板に用いられるＬＥＤ照明ユニット１０であって、表裏面１２ａ，１２ｂを光反射面とする反射板１２と、ＬＥＤを含む光源装置２０を搭載する第１及び第２の搭載板１４，１６と、を備え、第１の搭載板１４は、光源装置２０が反射板１２の表面１２ａと対面するように、反射板１２の下縁部に鋭角に連結しており、第２の搭載板１６は、光源装置２０が反射板１２の裏面１２ｂと対面するように、反射板１２の上縁部に鋭角に連結している。【選択図】図１
0003133014.tif 000002
【実用新案登録請求の範囲】
【請求項１】
両面広告型の内照式看板に用いられるＬＥＤ照明ユニットであって、
対向する一対の主面を光反射面とする反射板と、
発光ダイオードを含む光源装置を搭載する第１及び第２の搭載板と、を備え、
前記第１の搭載板は、前記光源装置が前記一対の主面の一方と対面するように、前記反射板の対向する一対の側縁の一方に鋭角に連結しており、
前記第２の搭載板は、前記光源装置が前記一対の主面の他方と対面するように、前記反射板の対向する一対の側縁の他方に鋭角に連結している、
ことを特徴とするＬＥＤ照明ユニット。
【請求項２】
前記反射板と前記第１及び第２の搭載板とは、金属材料から形成されていることを特徴とする請求項１に記載のＬＥＤ照明ユニット。
【請求項３】
前記反射板と前記第１及び第２の搭載板とは、矩形の板材の一対の側縁を板面に対し逆方向に屈曲した一体物として構成されていることを特徴とする請求項１又は２に記載のＬＥＤ照明ユニット。
【請求項４】
請求項１〜３のいずれかに記載のＬＥＤ照明ユニットと、
前記ＬＥＤ照明ユニットの前記一対の反射面とそれぞれ対面するように配置される一対の広告面を有し、当該ＬＥＤ照明ユニットを収容する筐体と、
を備えることを特徴とする内照式看板。
【請求項５】
請求項１〜３のいずれかに記載の複数のＬＥＤ照明ユニットと、
前記複数のＬＥＤ照明ユニットの前記一対の反射面とそれぞれ対面するように配置される一対の広告面を有し、当該複数のＬＥＤ照明ユニットを収容する筐体と、を備え、
前記複数のＬＥＤ照明ユニットは、隣接するユニット間で前記搭載板同士が重なる方向に積層されていることを特徴とする内照式看板。
【請求項６】
請求項１〜３のいずれかに記載の複数のＬＥＤ照明ユニットと、
前記複数のＬＥＤ照明ユニットの前記一対の反射面とそれぞれ対面するように配置される一対の広告面を有し、当該複数のＬＥＤ照明ユニットを収容する筐体と、を備え、
前記複数のＬＥＤ照明ユニットは、隣接するユニット間で前記搭載板同士及び前記反射板同士が連続する方向に並置されていることを特徴とする内照式看板。
【考案の詳細な説明】
【技術分野】
【０００１】
本考案は、両面広告型の内照式看板に用いられるＬＥＤ照明ユニット、及びこれを備えた内照式看板に関するものである。
【背景技術】
【０００２】
内照式看板は、広告面を有する筐体内に照明装置を備える。この照明装置からの光が広告面を透過することで、人目を引き付ける効果を有する。このような内照式看板として、例えば特許文献１には、蛍光灯を光源とした両面広告型の内照式看板が記載されている。
【特許文献１】特開平１１−７２６０号公報
【考案の開示】
【考案が解決しようとする課題】
【０００３】
しかしながら、蛍光灯の寸法は規格化されているため、上記従来の内照式看板は、看板のサイズに細かく対応することが難しいという問題がある。また、蛍光灯は寿命が短いためメンテナンス頻度が高く、しかも消費電力が高くて環境に易しくないという問題がある。
【０００４】
そこで、光源として発光ダイオード（ＬＥＤ）を使用することが考えられるが、ＬＥＤは比較的指向性が高いため、広告面での光ムラを低減する必要がある。
【０００５】
本考案は、上記事情に鑑みてなされたものであり、両面広告型の内照式看板における広告面での光ムラの低減を簡素な構造で実現可能であると共に、看板サイズに柔軟に対応可能なＬＥＤ照明ユニット、及びこれを備えた内照式看板を提供することを目的とする。
【課題を解決するための手段】
【０００６】
本考案に係るＬＥＤ照明ユニットは、両面広告型の内照式看板に用いられるＬＥＤ照明ユニットであって、対向する一対の主面を光反射面とする反射板と、発光ダイオードを含む光源装置を搭載する第１及び第２の搭載板と、を備え、前記第１の搭載板は、前記光源装置が前記一対の主面の一方と対面するように、前記反射板の対向する一対の側縁の一方に鋭角に連結しており、前記第２の搭載板は、前記光源装置が前記一対の主面の他方と対面するように、前記反射板の対向する一対の側縁の他方に鋭角に連結している、ことを特徴とする。
【０００７】
このＬＥＤ照明ユニットは、光源として発光ダイオード（ＬＥＤ）を利用するため、蛍光灯を利用する場合と比べて、看板サイズに柔軟に対応可能となる。また、搭載板に搭載された光源装置のＬＥＤからの光を反射板で反射するため、ＬＥＤからの光を直接出射する場合と比べて広告面での光ムラを低減することができる。また、このように一対の主面を光反射面とする反射板と、ＬＥＤを含む光源装置を搭載した第１及び第２の搭載板とを組み合わせた簡素な構造で、両面の広告面の光ムラを低減することができる。
【０００８】
前記反射板と前記第１及び第２の搭載板とは、金属材料から形成されていることを特徴としてもよい。このようにすれば、放熱効率を高めることができる。
【０００９】
前記反射板と前記第１及び第２の搭載板とは、矩形の板材の一対の側縁を板面に対し逆方向に屈曲した一体物として構成されていることを特徴としてもよい。このようにすれば、ＬＥＤ照明ユニットの製造が容易になる。
【００１０】
本考案に係る内照式看板は、上記したＬＥＤ照明ユニットと、ＬＥＤ照明ユニットの前記一対の反射面とそれぞれ対面するように配置される一対の広告面を有し、当該ＬＥＤ照明ユニットを収容する筐体と、を備えることを特徴とする。この内照式看板は、上記したＬＥＤ照明ユニットを備えるため、一対の広告面での光ムラが小さい。
【００１１】
本考案に係る内照式看板は、上記した複数のＬＥＤ照明ユニットと、前記複数のＬＥＤ照明ユニットの前記一対の反射面とそれぞれ対面するように配置される一対の広告面を有し、当該複数のＬＥＤ照明ユニットを収容する筐体と、を備え、前記複数のＬＥＤ照明ユニットは、隣接するユニット間で前記搭載板同士が重なる方向に積層されていることを特徴とする。
【００１２】
また本考案に係る内照式看板は、上記した複数のＬＥＤ照明ユニットと、前記複数のＬＥＤ照明ユニットの前記一対の反射面とそれぞれ対面するように配置される一対の広告面を有し、当該ＬＥＤ照明ユニットを収容する筐体と、を備え、前記複数のＬＥＤ照明ユニットは、隣接するユニット間で前記搭載板同士及び前記反射板同士が連続する方向に並置されていることを特徴とする。
【００１３】
これらの内照式看板は、上記したＬＥＤ照明ユニットを備えるため、一対の広告面での光ムラが小さい。また、複数のＬＥＤ照明ユニットを積層したり並置したりすることで、様々な大きさの看板に適用可能である。
【考案の効果】
【００１４】
本考案によれば、両面広告型の内照式看板における広告面での光ムラの低減を簡素な構造で実現可能となる。また、看板サイズに柔軟に対応可能となる。
【考案を実施するための最良の形態】
【００１５】
以下、添付図面を参照しながら本考案の実施形態を詳細に説明する。なお、図面の説明において同一の要素には同一の符号を付し、重複する説明を省略する。
【００１６】
ＬＥＤ照明ユニット１０は、図１から図３に示すように、両面広告型の内照式看板に用いられるものであり、反射板１２と光源装置２０を搭載する第１及び第２の搭載板１４，１６とを備えている。内照式看板については、後述する。
【００１７】
反射板１２は、外形が矩形をなし、表面１２ａと裏面１２ｂ（対向する一対の主面）を有している。これら表面１２ａと裏面１２ｂには、例えばＭＣペットといった高効率で光を反射する反射部材が取り付けられており、光反射面が形成されている。なお、表面１２ａと裏面１２ｂに光反射コーティングを施すことで、光反射面を構成してもよい。
【００１８】
第１及び第２の搭載板１４，１６は、外形が矩形をなし、長辺の長さが反射板１２の長辺の長さと同じに設けられ、短辺の長さが反射板１２の短辺の長さの略半分に設けられている。この第１及び第２の搭載板１４，１６には、複数の光源装置２０が搭載板１４，１６の長辺方向に等間隔で搭載されている。
【００１９】
光源装置２０は、図４に示すように、複数の発光ダイオード（ＬＥＤ）２２をモジュール化して構成されている。本実施形態では、四つのＬＥＤ２２が基板２４上に搭載されて構成されている。この基板２４は、各ＬＥＤ２２に電気を供給する図示しない配線部を有していると共に、基板２４表面に光反射コーティングが施されており、ＬＥＤ２２からの光を反射する。各ＬＥＤ２２の光出射面は、透明アクリルにより凸型形状に覆われている。これにより、図５に示すように、広い範囲の発光角度が得られている。これら四つのＬＥＤ２２を搭載した基板２４は、上面が透光性を有するカバーレンズ２６により覆われた筐体２８内に収容されている。そして、図６に示すように、この筐体２８には電源線３０が挿通されており、各光源装置２０が共通の電源線３０から電力を供給されるようになっている。
【００２０】
このような光源装置２０が搭載された第１の搭載板１４は、光源装置２０が反射板１２の表面１２ａに対面するように（光源装置２０を上側にして）、反射板１２の下縁部に鋭角に、ここでは６０度の角度をなすように連結している。一方、このような光源装置２０が搭載された第２の搭載板１６は、光源装置２０が反射板１２の裏面１２ｂと対面するように（光源装置２０を下側にして）、反射板１２の上縁部に鋭角に、ここでは６０度の角度をなすように連結している。従って、図３に示すように、ＬＥＤ照明ユニット１０は、側断面が略Ｚ字型になっている。
【００２１】
これら反射板１２と第１及び第２の搭載板１４，１６とは、アルミなどの金属材料から形成されている。特に、これら反射板１２と第１及び第２の搭載板１４，１６とは、矩形の板材の一対の側縁を板面に対し逆方向に屈曲した一体物として構成されている。
【００２２】
ここで、第１及び第２の搭載板１４，１６上での長辺方向における光源装置２０の設置位置に関し、隣接する光源装置２０のピッチは、次のようにして設定されている。すなわち、図２に示すように、光源装置２０の光束をＬ［単位：ルーメン（ｌｍ）］とし、光源装置２０の指向性をθ［単位：度（°）］としたとき、光源装置２０のピッチＰ［単位：ｍｍ］は、
【００２３】
Ｐ  ＝  Ｌ  ×  θ  ／  ２０
として設定されている。例えば、光源装置２０の光束Ｌが１０［ｌｍ］で、光の広がり具合を示す指向性θが１１０［°］であるとき、ピッチＰは５５［ｍｍ］となる。
【００２４】
また、第１及び第２の搭載板１４，１６上での短辺方向における光源装置２０の設置位置に関し、光源装置２０は、短辺方向の略中央部に設置されている。
【００２５】
次に、上記したＬＥＤ照明ユニット１０を備えた本実施形態に係る内照式看板１００について説明する。
【００２６】
内照式看板１００は、図７に示すように、内側から光を広告面１０２に対して照射することで、広告面１０２を透過する光により人の視覚に訴えて、広告効果を生じせしめる。この内照式看板１００は、図８から図１０に示すように、複数のＬＥＤ照明ユニット１０と、複数のＬＥＤ照明ユニット１０を内部に収容する筐体１０４とを備えている。複数のＬＥＤ照明ユニット１０は、前述した構成のものである。筐体１０４は、外形が略矩形の環状の枠体１０６と、この枠体１０６の両開口部を塞ぐように配置された外形が略矩形の一対の広告面１０２とを有している。広告面１０２は、例えば透光性を有する樹脂板の表面に、伝えたい文字や絵柄などを表示して構成されている。このように、看板の表側と裏側とが広告に利用されており、両面広告型の内照式看板１００とされている。
【００２７】
複数のＬＥＤ照明ユニット１０は、図８及び図９に示すように、隣接するユニット１０間で搭載板１４，１６同士及び反射板１２同士が連続するように水平方向に並置されている。そして、隣接するユニット１０同士は、例えばビス止めなどにより連結されている。また、複数のＬＥＤ照明ユニット１０は、図１０に示すように、隣接するユニット１０間で搭載板１４，１６同士が重なるように鉛直方向にも積層されている。そして、隣接するユニット１０同士は、例えばビス止めなどにより連結されている。本実施形態では、このようにして六つのＬＥＤ照明ユニット１０が筐体１０４内に収容されている。この状態で、一のＬＥＤ照明ユニット１０の反射板１２の表裏面１２ａ，１２ｂは、一対の広告面１０２のそれぞれに対面している。
【００２８】
次に、この内照式看板１００の作用及び効果について説明する。この内照式看板１００では、図示しない電源スイッチをオンにすると、光源装置２０から白色光が出射され、これが反射板１２の表裏面１２ａ，１２ｂに反射される。そして、反射光は表裏両面の広告面１０２を透過する。これにより、広告効果を生じさせる。
【００２９】
このように、本実施形態に係るＬＥＤ照明ユニット１０は、光源として発光ダイオード（ＬＥＤ）を利用するため、蛍光灯を利用する場合と比べて、看板サイズに柔軟に対応可能となる。また、搭載板１４，１６に搭載された光源装置２０のＬＥＤ２２からの光を反射板１２で反射するため、ＬＥＤ２２からの光を直接出射する場合と比べて広告面１０２での光ムラを低減することができる。また、このように表裏面１２ａ，１２ｂを光反射面とする反射板１２と、ＬＥＤ２２を含む光源装置２０を搭載した第１及び第２の搭載板１４，１６とを組み合わせた簡素な構造で、表裏両方の広告面１０２の光ムラを低減することができる。
【００３０】
また、反射板１２と第１及び第２の搭載板１４，１６とは、金属材料から形成されているため、放熱効率を高めることができる。
【００３１】
また、反射板１２と第１及び第２の搭載板１４，１６とは、矩形の板材の一対の側縁を板面に対し逆方向に屈曲した一体物として構成されているため、ＬＥＤ照明ユニット１０の製造が容易になる。
【００３２】
また、本実施形態に係る内照式看板１００では、複数のＬＥＤ照明ユニット１０は、隣接するユニット間で搭載板１４，１６が重なる鉛直方向に積層されていると共に、搭載板１４，１６及び反射板１２が連続する水平方向に並置されているため、様々なサイズの看板であっても、光ムラを低く抑えて広告面１０２全体を内側から照らすことができる。
【００３３】
以上、本考案をその実施形態に基づいて詳細に説明した。しかし、本考案は上記実施形態に限定されるものではない。本考案は、その要旨を逸脱しない範囲で以下のような様々な変形が可能である。
【００３４】
例えば、上記実施形態では、ＬＥＤ照明ユニット１０として光源装置２０が搭載板１４，１６に三つづつ搭載されたユニットについて説明したが、ユニットを構成する光源装置２０の数や反射板１２及び搭載板１４，１６のサイズは適宜変更してもよい。例えば、図１のユニットを長手方向に三等分して、三つの分割片それぞれをＬＥＤ照明ユニットとしてもよい。このようにすれば、看板のサイズにより柔軟に対応することが可能となる。
【００３５】
また、上記した実施形態では光源装置２０から白色光が出射される場合について説明したが、光源装置２０からの出射光の色は他の所望の色であってもよい。
【００３６】
また、広告面１０２の大きさや文字、図柄なども所望に設定することができる。
【図面の簡単な説明】
【００３７】
【図１】実施形態に係るＬＥＤ照明ユニットの構成を示す斜視図である。
【図２】図１のＬＥＤ照明ユニットの正面図である。
【図３】図１のＬＥＤ照明ユニットの側面図である。
【図４】図１のＬＥＤ照明ユニットの光源装置を示す図である。
【図５】図４の光源装置からの光の出射の様子を示す図である。
【図６】図４の光源装置と電源線との接続関係を示す図である。
【図７】実施形態に係るＬＥＤ照明ユニットを備える内照式看板を示す斜視図である。
【図８】図７の内照式看板の内部構造を示す正面図である。
【図９】図７の内照式看板の内部構造を示す背面図である。
【図１０】図７の内照式看板の内部構造を示す側断面図である。
【符号の説明】
【００３８】
１０…ＬＥＤ照明ユニット、１２…反射板、１２ａ…表面、１２ｂ…裏面、１４…第１の搭載板、１６…第２の搭載板、２０…光源装置、２２…発光ダイオード、２４…基板、２６…カバーレンズ、２８…筐体、３０…電源線、１００…内照式看板、１０２…広告面、１０４…筐体、１０６…枠体。
【図１】
0003133014.tif 000003
【図２】
0003133014.tif 000004
【図３】
0003133014.tif 000005
【図４】
0003133014.tif 000006
【図５】
0003133014.tif 000007
【図６】
0003133014.tif 000008
【図７】
0003133014.tif 000009
【図８】
0003133014.tif 000010
【図９】
0003133014.tif 000011
【図１０】
0003133014.tif 000012